(57)【要約】【課題】  開閉可能な傘部と、該傘部を開閉する開閉手段と、該開閉手段を駆動させるセンサ部とを備え、前記センサ部によって人間の接近を感知することで、前記傘部が開閉することで、忘れ物を認識するが、傘置き場の面積が広大になる。【解決手段】  不特定多数の人が利用する施錠機構を設けた傘立に傘を置いて、ＩＣチップを搭載したキーで施錠し、所要を済ませて建物から出る場合に、傘立に傘を置いたことを忘れてゲートを通過するときに、ＩＣチップとの無線通信を行い、音声発生部に所定のメッセージ、例えば「傘をお忘れです」等のメッセージを発声させるため、ゲートを通過中の人が傘を忘れたことに気づき、傘立に傘を取りに行くために傘の置忘れを防ぎ、ＩＣチップを搭載したキーの持ち去りを防ぎ、置き忘れられた傘の管理や後処理を無くすことが出来る。【選択図】図１
2008183387.tif 000002
【特許請求の範囲】
【請求項１】
施錠機構を設けた傘立の施錠に用いられ、情報を無線通信するキーと、
前記キーとの無線通信を行うアンテナと、
前記アンテナで情報を送受信する送受信部と情報のデータを処理するデータ処理部と処理されたデータに基づき各部の制御を行う制御部とを設けた警告部と、
を具備することを特徴とする傘置忘れ防止装置。
【請求項２】
ＩＣチップを搭載し情報を無線通信するキーと、
前記キーに搭載された前記ＩＣチップとの無線通信を行うアンテナを設けたゲートと、
前記ゲート近傍に人が近づいたときに、無線通信された情報に基づき前記ゲート近傍の人が前記ＩＣチップを搭載した前記キーを保有していた場合、音声を発生させる音声発生回路と、
前記音声発生回路からの信号で所定のメッセージを発するための音声発生部と、
を具備することを特徴とする請求項１記載の傘置忘れ防止装置。
【請求項３】
前記ゲートまたは前記ゲートの近傍に人体を検出する人体センサを設置し、この人体センサが人体を検出したとき、この検出情報に基づき、前記ゲート近傍に人がいると認識して前記ゲートに設けられたアンテナと前記キーとの無線通信を行うことを特徴とする請求項１記載の傘置忘れ防止装置。
【請求項４】
前記傘立に施錠機構が複数設けられるとき、各施錠機構に表示部を具備し、
前記キーが無線通信する情報は前記複数の施錠機構のうち前記キーが施錠する一の施錠機構を識別する識別情報を含み、前記警告部に設けられた前記制御部は前記アンテナで無線通信された識別情報に基づいて前記一の施錠機構に設けられた表示部を他の施錠機構に設けられた表示部から識別し得る態様で表示させることを特徴とする請求項１記載の傘置忘れ防止装置。
【発明の詳細な説明】
【技術分野】
【０００１】  本発明は、施錠機構を設けた傘立に傘を置き忘れることを防止する傘置忘れ防止装置に関するものである。
【背景技術】
【０００２】  従来の忘れ物防止装置には、開閉可能な傘部と、該傘部を開閉する開閉手段と、該開閉手段を駆動させるセンサ部と、を備え、前記開閉手段はモータと、該モータによって前記傘部を開閉するクランク機構と、から構成し、前記センサ部によって人間の接近を感知することで、前記傘部が開閉することを特徴とするものがある（例えば、特許文献１参照。）。【０００３】  以下、従来の忘れ物防止装置について説明する。不特定多数の人が利用する施設などにおいて、人目に付く場所に設置しておくことで、利用者に対して視覚的に携帯品の忘れ物の注意を促し、また、利用者が接近することで傘部が自動的に開閉することから、利用者に傘を携帯してきたという記憶と視覚を通して鮮明に呼び起こさせることが可能で、利用者各自の注意にのみ頼ることなく傘の忘れ物を効果的に防止することができ、さらに、利用者に傘を携帯してきたという記憶を蘇らせることで、傘以外の携帯品にも各自の注意を向かせるきっかけにすることが可能となり、施設における利用者の携帯品の忘れ物の全面的な防止へと繋げるものである。
【特許文献１】  特開２００５−１４３５６８号公報
【発明の開示】
【発明が解決しようとする課題】
【０００４】  以上に述べた従来の忘れ物防止装置は、利用者が接近することで傘部が自動的に開閉することから、利用者に傘を携帯してきたという記憶と視覚を通して鮮明に呼び起こさせるものであるが、百貨店、飲食店、会場、劇場や病院等の不特定多数の人が利用する施設に複数の人が持ってきた複数の傘が開く広大な面積の忘れ物防止装置を置ける場所を設けることは困難である。また、利用者の記憶と視覚によるために傘部が自動的に開閉しても、何かのパフォーマンス程度に見られてしまうと、傘を携帯してきたという記憶を鮮明に呼び起こさせることが困難である。【０００５】  本発明は、このような従来の構成が有していた問題を解決しようとするものであり、傘立に施錠して置かれた傘の忘れ防止、傘の忘れに伴って持ち去られるキーの紛失防止および置き忘れられた傘の管理や後処理を無くすことを目的とするものである。
【課題を解決するための手段】
【０００６】上記目的を達成するために、本発明に係る傘置忘れ防止装置は、施錠機構を設けた傘立の施錠に用いられ、情報を無線通信するキーと、前記キーとの無線通信を行うアンテナと、前記アンテナで情報を送受信する送受信部と情報のデータを処理するデータ処理部と処理されたデータに基づき各部の制御を行う制御部とを設けた警告部とを具備することを特徴とする。【０００７】  また、本発明に係る傘置忘れ防止装置は、ＩＣチップを搭載し情報を無線通信するキーと、前記キーに搭載された前記ＩＣチップとの無線通信を行うアンテナを設けたゲートと、前記ゲート近傍に人が近づいたときに、無線通信された情報に基づき前記ゲート近傍の人が前記ＩＣチップを搭載した前記キーを保有していた場合、音声を発生させる音声発生回路と、前記音声発生回路からの信号で所定のメッセージを発するための音声発生部と、を具備することを特徴とする請求項１に記載されたものである。【０００８】  また、本発明に係る傘置忘れ防止装置は、前記ゲートまたは前記ゲートの近傍に人体を検出する人体センサを設置し、この人体センサが人体を検出したとき、この検出情報に基づき、前記ゲート近傍に人がいると認識して前記ゲートに設けられたアンテナと前記キーとの無線通信を行うことを特徴とする請求項１に記載されたものである。【０００９】  また、本発明に係る傘置忘れ防止装置は、前記傘立に施錠機構が複数設けられるとき、各施錠機構に表示部を具備し、前記キーが無線通信する情報は前記複数の施錠機構のうち前記キーが施錠する一の施錠機構を識別する識別情報を含み、前記警告部に設けられた前記制御部は前記アンテナで無線通信された識別情報に基づいて前記一の施錠機構に設けられた表示部を他の施錠機構に設けられた表示部から識別し得る態様で表示させることを特徴とする請求項１に記載されたものである。【００１０】上記課題解決手段による作用は次の通りである。すなわち、百貨店、飲食店、会場、劇場や病院等の不特定多数の人が利用する施錠機構を設けた傘立に傘を置いて、ＩＣチップを搭載したキーで施錠し、キーを保有して前記建物内に入り、所要を済ませて建物から出る場合に、傘立に傘を置いたことを忘れてＩＣチップを搭載したキーを保有した状態でゲートを通過するときに、ＩＣチップを搭載したキーとアンテナとの無線通信を行い、無線通信の情報結果に基づき通過した人がＩＣチップを搭載したキーを保有していた場合、警告部に設けられた制御部が音声を発生させる音声発生回路を制御して音声発生回路からの信号で音声発生部に所定のメッセージ、例えば「傘をお忘れです」等のメッセージを発声させるために、ゲートを通過中の人が傘を忘れたことに気づき、傘立に傘を取りに行くために傘の置忘れを防ぎ、ＩＣチップを搭載したキーの持ち去りを防ぎ、置き忘れられた傘の管理や後処理を無くすことが出来る。【００１１】  また、ゲートまたはゲートの近傍に人体を検出する人体センサを設置して、この人体センサが人体を検出したとき、前記ゲートを人が通過中と認識して前記ゲートに設けてあるアンテナより前記ＩＣチップにキー情報を問い合わせ、前記ＩＣチップがキー情報を返信することで、ゲートを通過中の人がＩＣチップを搭載したキ���を保有していた場合、警告部に設けられた制御部が音声を発生させる音声発生回路を制御して音声発生回路からの信号で音声発生部に所定のメッセージ、例えば「傘をお忘れです」等のメッセージを発声させるために、ゲートを通過中の人が傘を忘れたことに気づくことが出来る。【００１２】  また、ＩＣチップを搭載したキーに相対した傘の置き場所を表示する表示部を傘立の施錠機構に設けてあるために傘を忘れた人が自分の傘の置き場所を容易に見つけることが出来る。
【発明の効果】
【００１３】  上述したように傘立に施錠して置かれた傘の忘れ防止、傘の忘れに伴って持ち去られるキーの紛失防止および置き忘れられた傘の管理や後処理を無くすことができる。
【発明を実施するための最良の形態】
【００１４】  以下、本発明の実施の形態を、図１〜図３に基づいて説明する。
百貨店、飲食店、会場、劇場や病院等の施設を不特定多数の人が利用する場合、雨天時に持参した傘１を施錠機構２が設けられた傘立３に置いて、施錠機構２に付属したＩＣチップ４を搭載したキー５で施錠し、このキー５を保有して前記施設内に入り、所要を済ませて施設から出る場合に、傘立３に傘１を置いたことを忘れてＩＣチップ４を搭載したキー５を保有した状態でゲート６を通過するときに、ＩＣチップ４とアンテナ１１との無線通信を行い、無線通信の情報結果に基づき通過した人がＩＣチップ４を搭載したキー５を保有していた場合、警告部７に設けられた制御部１５が音声を発生させる音声発生回路８を制御して音声発生回路８からの信号で音声発生部９に所定のメッセージ、例えば「傘をお忘れです」等のメッセージを発声させるために、ゲート６を通過中の人が傘１を忘れたことに気づき、傘立３に傘１を取りに行くと、ＩＣチップ４を搭載したキー５に相対した施錠機構２の傘１の置き場所を表示する表示部１０が点灯あるいは点滅して、施錠機構２の位置表示をし、傘１を忘れた人が傘立３に置いた自分の傘１の置き場所を容易に見つけられて持参した傘１を持ち帰りＩＣチップ４を搭載したキー５は施錠機構２の所定の位置に戻される。【００１５】  ＩＣチップ４を搭載したキー５はＩＣチップ４に施錠機構２の位置情報を記録したものであり、ＩＣチップ４は、電源内蔵型のものでもよいが、ここではゲート６に設けられたアンテナ１１が放射する電波から電源エネルギを抽出するパッシブ型のものを使用する。【００１６】  ＩＣチップ４とゲート６に設けられたアンテナ１１との間で使用する無線の種類は、ＤＳＲＣ（専用狭域無線通信）と呼ばれる５．８ＧＨｚ帯のものか、ＢＴ（Ｂｌｕｅ  Ｔｏｏｔｈ）と呼ばれる２．４ＧＨｚ帯のものが好適であり、電波の到達距離は短いものが好適であるがこれに限られないことは言うまでもない。【００１７】  ゲート６は、門型構造に形成されたものを壁に埋め込んで目立たないようにしてもよいし、天井に設置したアンテナ１１のみで構成してもよい。このようなゲート６を出入口等に設置する。【００１８】  人体センサ１２は、体温を検知する赤外線センサ、光軸上の物体による光の遮断・反射を検知する光学センサなど従来から知られているもので実現することができる。この人体センサ１２を人がゲート６を通過するときに作動するようにゲート６内に向けて設置する。【００１９】  警告部７は、コンピュータで構成され、ＩＣチップ４とゲート６に設けられたアンテナ１１との間の無線通信を行う送受信部１３と、無線通信で得た情報の照合を行うデータ処理部１４と、送受信部１３に無線通信の開始を指示し、データ処理部１４の照合結果から通報が必要な場合、音声を発生させる音声発生回路８を作動させて、信号を音声発生部９に送信して、所定のメッセージ、例えば「傘をお忘れです」と通報させると共に傘立３の施錠機構２に設けられた表示部１０を点灯あるいは点滅させるように制御する制御部１５とからなる。【００２０】  表示部１０はランプ、ＬＥＤ等からなり、ゲート６を通過中の人が傘１を忘れた場合、点灯あるいは点滅等して傘立３の傘１の位置を知らせる。【００２１】  さて、ゲート６内に人が立ち入った��のとする。人体センサ１２が作動して、人体１６を検出したことを警告部７に通知する。警告部７の制御部１５は、送受信部１３に無線通信の開始を指示する。送受信部１３よりゲート６に設けられたアンテナ１１を経由してＩＣチップ４を搭載したキー５を保有した状態でゲート６を通過中か情報を問い合わせる信号が送信される。この信号は、ゲート６内に放射される。【００２２】  ゲート６内に入った人体１６がキー５を保持していた場合、キー５内のＩＣチップ４は、受信した信号のエネルギでもって駆動され、問い合わせに対し、キー５に記録された情報を返答する。ゲート６に設けられたアンテナ１１で受けたキー５に記録された情報は送受信部１３からデータ処理装置１４に送られて照合される。【００２３】  照合の結果、警告部７のデータ処理部１４はゲート６を通過中の人体１６がＩＣチップ４を搭載したキー５を保有と判断する。また、人体１６がキー５を有さず、前記問合せに対して何も返信がない場合は、当該ゲート６内に入った人体１６がキー５を保有していないと考えられるので、警告部７のデータ処理部１４は通過中の人体１６がＩＣチップ４を搭載したキー５を保有していないと判断する。【００２４】  通過中の人体１６がＩＣチップ４を搭載したキー５を保有と警告部７のデータ処理部１４が判断した場合、制御部１５は音声を発生させる音声発生回路８を作動させて、信号を音声発生部９に送信して、所定のメッセージ、例えば「傘をお忘れです」等のメッセージを発声させる。【００２５】  また、制御部１５は、通過中の人体１６がＩＣチップ４を搭載したキー５を保有と警告部７のデータ処理部１４が判断した場合には、傘立３の施錠機構２に設けた表示部１０のＬＥＤを点滅させる。なお、表示部１０はＬＥＤの点滅に限らず、点灯、メッセージ表示、等、当該キー５に対応する施錠機構２が他の施錠機構２と識別できるものであれば如何なる態様であってもよい。【００２６】  なお、上記実施の形態においては傘立３に傘１を忘れた場合にこれをゲート６で防止する場合について説明したが、ゲート６の先に傘立３が設けられ、当該傘立３の傘１を忘れないように予防として音声メッセージが発せられるようにしてもよい。【００２７】  また、上記実施の形態においては音声メッセージが発せられることを傘忘れ防止のための警告として説明したが、傘忘れ防止のための警告はこれに限られず、ビープ音等の音による警告や照明点灯、画像表示装置による視覚的メッセージの表示などであってもよい。【００２８】  さらに、キー５はＩＣチップ４を有する必要は無く、例えばＲＦＩＤなどを有するものでもよい。キー５は各種の送受信機能を採りうるが、自ら積極的に送信する機能を有するようにしてもよい。この場合、ゲート６に設けられたアンテナ１１で無線通信を行う送受信部１３は受信機能のみを有し、キー５からの送信情報を待ち受けるようにしてもよい。そしてこの場合、キー５は必ずしも受信機能を有する必要はない。【００２９】  さらに、キー５との無線通信のやりとりはゲート６のようにゲート構造を有したものによって行われる場合に限らず、少なくともキー５が有する情報を受信できるものであればよい。この場合、構造のみならず、その配置位置���関しても建物の出口近傍その他本発明の機能を実現できる範囲であれば制限がないことは言うまでもない。【００３０】  人体センサ１２も建物の出口近傍に設け得るが、特に建物の内側、例えば建物の出口のやや手前に設け、無線通信に十分先立って人体を検出し得るようにしてもよい。
【図面の簡単な説明】
【００３１】
【図１】  本発明の一実施形態を示す傘置忘れ防止装置の構成図である。
【図２】  本発明に係る傘立ての一例を示す全体斜視図である。
【図３】  本発明に係る傘保持施錠機構の一例を示す全体斜視図である。
【符号の説明】
【００３２】  １  傘、  ２  施錠機構、  ３  傘立、  ４  ＩＣチップ、  ５  キー、  ６  ゲート、  ７  警告部、  ８  音声発生回路、  ９  音声発生部、  １０  表示部、１１  アンテナ、  １２  人体センサ、  １３  送受信部、  １４  データ処理部、  １５  制御部、  １６  人体
【図１】
2008183387.tif 000003
【図２】
2008183387.tif 000004
【図３】
2008183387.tif 000005